(57)【要約】【課題】地震等による天井や移動間仕切装置自体の破損を防止できる移動間仕切装置を提供する。【解決手段】天井に架設されたレール４にローラ９を介して移動可能に吊支された複数枚の間仕切パネル２により室内を仕切る移動間仕切装置１であって、間仕切パネル２は、パネル本体５とローラ９が上端に設けられた複数の杆部材１１，１１とを備え、杆部材１１，１１は、杆部材１１，１１に固定された支持部材１２がパネル本体５を構成する幅方向に延びる横架部１６を支持することによりパネル本体５をレール４に吊支させるとともに、杆部材１１，１１は横架部１６に設けられた開口部１６ｂに挿通されて、杆部材１１，１１と横架部１６とが上下に相対移動可能となっている。【選択図】図１
2018071323.tif 000002
【特許請求の範囲】
【請求項１】
天井に架設されたレールにローラを介して移動可能に吊支された複数枚の間仕切パネルにより室内を仕切る移動間仕切装置であって、
前記間仕切パネルは、パネル本体と前記ローラが上端に設けられた複数の杆部材とを備え、
前記杆部材は、該杆部材に固定された支持部材が前記パネル本体を構成する幅方向に延びる横架部を支持することにより前記パネル本体を前記レールに吊支させるとともに、前記杆部材は前記横架部に設けられた開口部に挿通されて、前記杆部材と前記横架部とが上下に相対移動可能となっていることを特徴とする移動間仕切装置。
【請求項２】
前記支持部材は、前記複数の杆部材を連結する連結横杆部材であることを特徴とする請求項１に記載の移動間仕切装置。
【請求項３】
前記横架部は前記開口部を備える上面部を有する略断面下向きコ字状に形成されており、前記連結横杆部材が前記横架部の内部で案内されることを特徴とする請求項２に記載の移動間仕切装置。
【請求項４】
前記横架部は略断面下向きコ字状に形成されており、前記連結横杆部材が前記横架部とほぼ補形をなす略断面下向きコ字形であることを特徴とする請求項２または３に記載の移動間仕切装置。
【請求項５】
前記横架部と前記連結横杆部材の間に緩衝部材を配設したことを特徴とする請求項２ないし４のいずれかに記載の移動間仕切装置。
【発明の詳細な説明】
【技術分野】
【０００１】
本発明は、オフィス、大会場、会議室等を所定の区画に仕切って使用するための移動間仕切装置に関する。
【背景技術】
【０００２】
オフィス・会議室・病院・宴会場等の室内を複数の部屋に仕切る場合、天井から床面に亘る複数枚の間仕切パネルを連設して組み立てられる移動間仕切装置が用いられている（例えば特許文献１）。このような間仕切パネルは、パネル本体と、天井面に固定されたレールと、パネル本体を構成する幅方向に延びる横架部に固定されて上端にローラを有する複数の杆部材とを備え、ローラをレール内に遊嵌させて杆部材を支持させることによりパネル本体をレールに吊支させた構造となっている。
【先行技術文献】
【特許文献】
【０００３】
【特許文献１】特許第２８４０６４８号公報（第３頁、第１図）
【発明の概要】
【発明が解決しようとする課題】
【０００４】
ところで、移動間仕切装置のレールは、鉄筋コンクリート造の建築物における床の荷重を支える構造床（スラブ）や鉄骨構造の建築物における梁に取り付けられた吊り材等に懸架されているが、例えば地震等が発生した際には構造床や梁とともにレールが変形移動する虞があり、この変形移動によりレールと床面との実質的な距離が変化する場合がある。そのため、レールと床面との距離が短くなる変化が生じた際には、床面に当接した間仕切パネルが床面から抗力を受けることになる。このような場合に特許文献１にあるような移動間仕切装置にあっては、上述したように、杆部材は上端にレール内に遊環されるローラが設けられるともにパネル本体を構成する幅方向に延びる横架部に固定された構造であるため、間仕切りパネルが床面に当接した後、該間仕切りパネルはその上端部のローラとその下端部が天井と床面との間に挟まれて上下方向から圧縮力を受けることとなり、天井や移動間仕切装置自体が破損する虞があった。
【０００５】
本発明は、このような問題点に着目してなされたもので、天井や移動間仕切装置自体の破損を防止できる移動間仕切装置を提供することを目的とする。
【課題を解決するための手段】
【０００６】
前記課題を解決するために、本発明の移動間仕切装置は、
天井に架設されたレールにローラを介して移動可能に吊支された複数枚の間仕切パネルにより室内を仕切る移動間仕切装置であって、
前記間仕切パネルは、パネル本体と前記ローラが上端に設けられた複数の杆部材とを備え、
前記杆部材は、該杆部材に固定された支持部材が前記パネル本体を構成する幅方向に延びる横架部を支持することにより前記パネル本体を前記レールに吊支させるとともに、前記杆部材は前記横架部に設けられた開口部に挿通されて、前記杆部材と前記横架部とが上下に相対移動可能となっていることを特徴としている。
この特徴によれば、レールと床面との実質的な距離が変化する場合には、杆部材がパネル本体に設けられた開口部に挿通されているため、杆部材と横架部とが離間する方向に相対移動することで、間仕切パネルが床面から受ける抗力を吸収し、天井や移動間仕切装置自体の破損を防止することができる。
【０００７】
前記支持部材は、前記複数の杆部材を連結する連結横杆部材であることを特徴としている。
この特徴によれば、複数の杆部材が連結横杆部材により１つに連結されていることから、各杆部材の軸方向の位置が安定するため、複数の杆部材を一体に開口部の下方へスムーズに移動させることができる。
【０００８】
前記横架部は前記開口部を備える上面部を有する略断面下向きコ字状に形成されており、前記連結横杆部材が前記横架部の前記コ字状の内部で案内されることを特徴としている。
この特徴によれば、連結横杆部材が横架部のコ字状の内部で案内されるため、複数の杆部材を一体に開口部の下方へスムーズに移動させることができる。
【０００９】
前記横架部は略断面下向きコ字状に形成されており、前記連結横杆部材が前記横架部とほぼ補形をなす略断面下向きコ字形であることを特徴としている。
この特徴によれば、横架部および連結横杆部材を略断面下向きコ字形とし、入れ子構造とすることにより、横架部と連結横杆部材との連結機構をコンパクトにすることができる。
【００１０】
前記横架部と前記連結横杆部材の間に緩衝部材を配設したことを特徴としている。
この特徴によれば、杆部材の開口部内における下方への移動した状態から吊支状態に復帰する際における横架部と連結横杆部材との衝突により生じる衝撃を緩衝部材で吸収することで、移動間仕切装置の破損を防止することができる。
【図面の簡単な説明】
【００１１】
【図１】実施例における移動間仕切装置を示す正面視の断面概念図である。
【図２】閉塞部材を上下に進出させた状態を示す正面視の断面概念図である。
【図３】レールとローラの説明図である。
【図４】杆部材による間仕切パネルの吊支状態を示す正面視の一部拡大断面図である。
【図５】吊支部材と横架部とが離間した状態を示す側面視の一部拡大断面図である。
【図６】吊支部材による横架部の吊支状態を示す側面視の一部拡大断面図である。
【図７】吊支部材と横架部とが離間した状態を示す正面視の一部拡大断面図である。
【発明を実施するための形態】
【００１２】
本発明に係る移動間仕切装置を実施するための形態を実施例に基づいて以下に説明する。
【実施例】
【００１３】
実施例に係る移動間仕切装置につき、図１から図７を参照して説明する。以下、図１の紙面左側を移動間仕切装置の正面側（前方側）として説明する。
【００１４】
図１に示される移動間仕切装置１は、オフィスや大会場、会議室等の室内空間を区画するものである。この移動間仕切装置１は、室内空間の天井面Ｒに架設されたレール４（図３参照）に吊支され、レール４によって形成される移動経路に沿って順次間仕切位置に移動させられる間仕切パネル２により室内を仕切ることができるようになっている。
【００１５】
図１及び図２に示されるように、間仕切パネル２は、枠体１５と枠体１５の表裏に固定されるパネル材５１，５１（片側のみ図示）とから主に構成されるパネル本体５を備えている。パネル本体５内には、後述する進退機構８と、この進退機構８により天井面Ｒ及び床面Ｆに向けてそれぞれ延出可能な閉塞部材６，７が収納されている。
【００１６】
図３に示されるように、レール４は筒状を成し、前後方向に延びる前後の屈曲部４ａ，４ａの端部が前後に離間して前後中央に左右方向に亘って開口４ｂが形成され、この開口４ｂが下方を向いた状態でレール４の下面（図示せず）が天井面Ｒと略面一となるように埋設されている。
【００１７】
ローラ９は、レール４内に遊篏されている。また、ローラ９はレール４内において、前後の回転体９ａ，９ａがレール４の屈曲部４ａ，４ａ上に載置されるとともに、ガイド部材９ｂ，９ｂ，…が前後の溝部４ｃ，４ｃにそれぞれ上下方向に僅かなクリアランスを有して嵌挿されている。また、ローラ９には、前後一対の回転体９ａ，９ａと直交する方向に回転する一対の回転体９ａ’，９ａ’が設けられている。
【００１８】
図１に示されるように、進退機構８はパネル本体５の外部に軸通する駆動軸３０と、閉塞部材６及び閉塞部材７に接続され、閉塞部材６，７に進退移動力を伝達する進退軸装置３１と、駆動軸３０の回転を進退軸装置３１，３１の進退移動に変換する機構部３２とを備えてなる。尚、進退軸装置３１，３１は、図４に示されるように、後述する横架部１６に形成された挿通孔１６ｄ内と連結横杆部材１２に形成された挿通孔１２ｃ内を上下移動可能に挿通している。
【００１９】
駆動軸３０の外部側端部３０ａには、図示しない六角穴等が形成されており、この外部側端部３０ａにクランクハンドル等の操作具（図示せず）が差し込まれ、手動または駆動機械により駆動軸３０を回転操作できるようになっている。
【００２０】
そして、この駆動軸３０の回転に従い進退軸装置３１，３１により閉塞部材６，７が天井面Ｒ及び床面Ｆに向けて移動され、閉塞部材６，７によりパネル材５１，５１と天井面Ｒ及び床面Ｆとの間の空間が遮蔽され、間仕切パネル２により仕切られた区画間の音漏れ及び光漏れが防止される。
【００２１】
また、図４に示されるように、進退軸装置３１は、２本の伸縮部材３３，３３を備え、伸縮部材３３，３３は棒状部材３４，３５が入れ子状に連結された構造となっており、これら２本の棒状部材３４，３５は圧縮バネ３６の弾性力を有して伸縮自在となっている。尚、一方の棒状部材３４には長孔３４ａが、他方の棒状部材３５には長孔３４ａに遊嵌する凸部３５ａが形成されており、２本の棒状部材３４，３５同士が離脱することが防止されるとともに、凸部３５ａが長孔３４ａ内で移動できる範囲で相互の近接移動が規制されている。閉塞部材６，７は、伸縮部材３３，３３の圧縮バネ３６の弾性復帰力により天井面Ｒ及び床面Ｆへの押圧状態が維持されるようになっている。
【００２２】
図１及び図２に示されるように、パネル本体５は、吊支部材１０によりレール４に対して吊支されている。吊支部材１０は、杆部材１１，１１と連結横杆部材１２とローラ９，９とにより主に構成されている。杆部材１１，１１の下端部は連結横杆部材１２に固定されている。杆部材１１，１１の上端部にはローラ９，９が接続されており、ローラ９，９はレール４内を走行可能に遊嵌されている。
【００２３】
図４及び図５に示されるように、パネル本体５の幅方向に延びて枠体１５の一部を構成する上端側の横架部１６は、略断面下向きコ字状に形成されており、その上面部１６ａの長手方向両端側に矩形の貫通孔である開口部１６ｂ，１６ｂがそれぞれ形成されている。
【００２４】
横架部１６には、横架部１６とほぼ補形をなす略断面下向きコ字形に形成された連結横杆部材１２が入れ子構造に配置されている。杆部材１１は、その下端側の胴部１１ａが板状の取付部材１８に貫通し、胴部１１ａよりも大きな頭部１１ｂが取付部材１８の下端面に支持された状体で取り付けられている。杆部材１１は取付部材１８に固定されていてもよい。連結横杆部材１２の上面部１２ａの長手方向両端側には貫通孔１２ｂ，１２ｂが設けられており、この貫通孔１２ｂ，１２ｂに杆部材１１，１１が挿通されている。連結横杆部材１２の上面部１２ａの上下には、板状の取付部材１７，１８が配置されており、この取付部材同士がボルト・ナット１９，１９による締結で連結横杆部材１２の上面部１２ａを上下から挟む構造となっており、これらの締結により杆部材１１が連結横杆部材１２に固定されている。このように連結横杆部材１２に長手方向両端の杆部材１１，１１が一体に連結されることで吊支部材１０が構成されている。
【００２５】
上側の取付部材１７には杆部材１１が挿通する貫通孔１７ａが形成されているとともに、上方へ起立する板状の起立片２０，２０が貫通孔１７ａを挟むように所定間隔離間されて固定されており、これら起立片２０，２０の内側面２０ａ，２０ａに杆部材１１の外周面１１ｃが当接可能となっており、杆部材１１の傾動を規制している。
【００２６】
図６に示されるように、吊支状態においては、吊支部材１０における連結横杆部材１２の上面部１２ａには、横架部１６の下面１６ｃが当接しており、間仕切パネル２の荷重が横架部１６を介して連結横杆部材１２に支持されるようになっている。このとき杆部材１１，１１と取付部材１７と起立片２０，２０とは、横架部１６の開口部１６ｂ内に遊嵌される。
【００２７】
続いて、例えば地震等が発生した際において、レール４と床面Ｆとの実質的な距離が変化する場合、特にレール４と床面Ｆとの距離が短くなる場合における移動間仕切装置の動作について図７を用いて説明する。
【００２８】
レール４と床面Ｆとの距離が短くなる変化が生じた際には、まず天井面Ｒ及び床面Ｆに当接されている閉塞部材６，７が伸縮部材３３，３３の縮長によりそれぞれパネル本体５側に退行移動される。
【００２９】
そして、閉塞部材７が完全に退行した状態、すなわち床面Ｆにパネル本体５の下端が当接した状態までレール４と床面Ｆとの距離が短くなると、レール４内部の溝部４ｃ，４ｃとローラ９のガイド部材９ｂ，９ｂ，…との間のクリアランスが無くなり、ローラ９のガイド部材９ｂ，９ｂ，…がレール４内部の溝部４ｃ，４ｃに押圧されることになり、間仕切パネル２が床面Ｆから抗力を受けることになる。
【００３０】
上述したように吊支部材１０は、杆部材１１，１１が横架部１６の開口部１６ｂ，１６ｂに挿通され、連結横杆部材１２が横架部１６から離間する方向に移動規制されていない、即ち横架部１６に対する下方向への移動が許容されていることから、前述の抗力が間仕切パネル２に掛かった場合には、吊支部材１０が横架部１６に対して下方へ移動することにより抗力を逃し、間仕切パネル２に上下方向の圧縮力が作用しないため、天井面Ｒや移動間仕切装置１自体の破損を防止することができる。
【００３１】
また、複数の杆部材１１，１１が連結横杆部材１２により一体の吊支部材１０に連結されていることから、各杆部材１１，１１の軸方向の位置が安定しているため、複数の杆部材１１，１１を一体に横架部１６に対して下方へスムーズに移動させることができる。
【００３２】
また、上述したように閉塞部材６，７を押圧する進退機構８は、伸縮部材３３，３３の圧縮バネ３６，３６の圧縮により閉塞部材６，７や進退機構８及び天井面Ｒや床面Ｆの破損を防止することができる。
【００３３】
また、地震の沈静後等に、レール４と床面Ｆとの距離が変化前に戻った際には、自重によりローラ９がレール４の走行面である屈曲部４ａ，４ａ上に復帰し、自重によりパネル本体５の横架部１６が連結横杆部材１２上に支持される状態に復帰される。このとき、間仕切パネル２の自重に加え、進退軸装置３１，３１の圧縮バネ３６，３６の弾性復帰力により閉塞部材６が天井面Ｒに押圧されることによる反力により、間仕切パネル２が即座に変化前の吊支状態に復帰される。
【００３４】
また、連結横杆部材１２の上面部１２ａと横架部１６の下面１６ｃとの間には図示しない緩衝部材が配置されており、吊支部材１０が下方への移動した状態から間仕切パネル２の吊支状態に復帰する際における連結横杆部材１２と横架部１６との衝突により生じる衝撃を吸収でき、移動間仕切装置１の破損を防止することができる。更に、伸縮部材３３，３３の縮長の圧縮バネ３６，３６の弾性復帰力による閉塞部材６及び閉塞部材７の天井面Ｒ及び床面Ｆへの押圧力が連結横杆部材１２と横架部１６との衝突速度を減速させるように作用するようになっている。
【００３５】
また、図５及び６に示されるように、連結横杆部材１２と横架部１６との相対移動時には、横架部１６の上面部１６ａの短手方向両端から下方へ略鉛直方向へ垂下する垂下片１６ｄ，１６ｄに、連結横杆部材１２の側面部１２ｄ，１２ｄが案内される構造となっているため、横架部１６に対して、複数の杆部材１１，１１を一体に下方へスムーズに移動させることができる。
【００３６】
更に、横架部１６の垂下片１６ｄ，１６ｄに連結横杆部材１２の側面部１２ｄ，１２ｄが面接触により案内されるため、連結横杆部材１２と横架部１６との前後方向への相対的な煽りが防止されるとともに、局所的な摩擦の発生が抑制され、レール４と床面Ｆとの距離が短くなる変化に吊支部材１０をスムーズに追従させて移動させることができる。
【００３７】
また、横架部１６および連結横杆部材１２をどちらも略断面下向きコ字形とし、入れ子構造とすることにより、横架部１６と連結横杆部材１２との連結機構をコンパクトにすることができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例においては、パネル本体５の上下端に閉塞部材６と７がそれぞれ進退可能に設けられる間仕切パネル２を例に説明したが、上述した吊支部材１０とパネル本体５に対して下方へ移動可能な構成は、これら閉塞部材に関する構成が省略された間仕切パネルに適用されてもよい。
【００４０】
また、杆部材１１，１１は連結横杆部材１２により一体に連結された構成として説明したが、これに限らず、例えば横架部の上面部に形成される開口を杆部材の外径より僅かに太径とするとともに、杆部材の下端部に前記開口より大きい支持部材を設けることにより、複数の杆部材をそれぞれ横架部に対して抜け止めされた状態で下方へ移動可能とした構成としてもよい。
【００４１】
また、吊支部材は杆部材を３本以上の複数本備える構成であってもよい。
【符号の説明】
【００４２】
１                移動間仕切装置
２                間仕切パネル
４                レール
５                パネル本体
６                閉塞部材
７                閉塞部材
８                進退機構
９                ローラ
１０              吊支部材
１１              杆部材
１２              連結横杆部材
１２ａ            上面部
１２ｂ            貫通孔
１２ｃ            挿通孔
１２ｄ            側面部
１５              枠体
１６              横架部
１６ａ            上面部
１６ｂ            開口部
１６ｃ            下面
１６ｄ            垂下片
１７，１８        取付部材
１９              ボルト・ナット
２０              起立片
３１              進退軸装置
３３              伸縮部材
３４，３５        杆部材
３６              圧縮バネ
５１              パネル材
Ｆ                床面
Ｒ                天井面
【図１】
2018071323.tif 000003
【図２】
2018071323.tif 000004
【図３】
2018071323.tif 000005
【図４】
2018071323.tif 000006
【図５】
2018071323.tif 000007
【図６】
2018071323.tif 000008
【図７】
2018071323.tif 000009